(57)【要約】【課題】搬送中に、塗布部材の刷毛が他の塗布部材に衝突して折れ曲がったり、刷毛同士が干渉して絡まらないようにするため、刷毛カバーを塗布部材に被嵌し、刷毛を保護するようにした塗布部材を提供すること。および、刷毛カバーを塗布部材に着脱容易に被嵌するとともに、液塗布容器の店頭陳列時に不正行為の有無を識別できるようにした刷毛カバーを提供すること。【解決手段】中栓と刷毛を具えた塗布部材と、刷毛カバーとからなる液塗布容器の部品組立体において、塗布部材が、刷毛カバーの取付部を設けた基台と刷毛を立設した塗布具とからなり、刷毛カバーは、下端に基台の取付部に係合する取付筒を垂設した側周壁と、頂壁を具えていることを特徴とする。【選択図】　　　　図１
2004026243.tif 000002
【特許請求の範囲】
【請求項１】
中栓と刷毛を具えた塗布部材と、刷毛カバーとからなる液塗布容器の部品組立体において、
塗布部材が、刷毛カバーの取付部を設けた基台と刷毛を立設した塗布具とからなり、
刷毛カバーは、下端に基台の取付部に係合する取付筒を垂設した側周壁と、頂壁を具えていることを特徴とする刷毛カバーを被嵌した塗布部材。
【請求項２】
請求項１記載の刷毛カバーにおいて、頂壁に代えて側周壁の上端周縁に取付片と切断可能な連結片によりプルリングを連接したことを特徴とする刷毛カバーを被嵌した塗布部材。
【請求項３】
請求項１記載の刷毛カバーにおいて、頂壁に代えて側周壁の上端にヒンジを介して蓋板を取り付け、該蓋板と側周壁の上端とを切断可能な連結片で接続したことを特徴とする刷毛カバーを被嵌した塗布部材。
【発明の詳細な説明】
【０００１】
【発明の属する技術分野】
本発明は、刷毛タイプの液塗布容器、とくに刷毛カバーを被嵌した塗布部材に関する。
【０００２】
【従来の技術】
刷毛タイプの液塗布容器において、刷毛を中央に向かって傾斜させて刷毛の先端密度を高め、塗布液が刷毛先面全面から均一に流出するようにした刷毛タイプの塗布容器は、特開平１１−１３８０８６号公報に示されているよう本出願人等により提案されている。
【０００３】
【発明が解決しようとする課題】
上記塗布容器は、容器と中栓、塗布具を具えた塗布部材およびキャップとから構成されており、各部品は、それぞれ別々に成形される。
塗布部材と中栓はセットされ、容器と、中栓とセットされた塗布部材、キャップは、それぞれの搬送ラインによって液充填作業ステーションに搬送される。
【０００４】
液充填作業にあたっては、まず、容器に内容液を充填し、次いで、塗布部材を取着した中栓を容器口筒部に嵌合し、キャップを螺着することによって液塗布容器が形成される。
【０００５】
しかしながら、図６に示すように、中栓Ｂａをセットした塗布部材Ｃａを搬送する場合に、一方の塗布部材Ｃａの刷毛ｃが、他の塗布部材Ｃａや中栓Ｂａの角部に衝突して折り曲げられ、塗布部材Ｃａが他方から離れたときにも刷毛ｃが復元しないで折れ曲がったままになるという問題があった。
また、それぞれの塗布部材Ｃａの刷毛ｃが相互に干渉して絡まり、二つの塗布部材Ｃａが離れ難くなるというような問題も発生した。
【０００６】
本発明は、上記の問題を解決することを課題とし、搬送中に、塗布部材の刷毛が他の塗布部材に衝突して折れ曲がったり、刷毛同士が干渉して絡まらないようにするため、刷毛カバーを塗布部材に被嵌し、刷毛を保護するようにした塗布部材を提供することを第１の目的とし、刷毛カバーを塗布部材に着脱容易に被嵌するとともに、液塗布容器の店頭陳列時に不正行為の有無を識別できるようにした刷毛カバーを提供することを第２の目的とする。
【０００７】
【課題を解決するための手段】
本発明は、上記の課題を解決するため、刷毛カバーを被嵌した塗布部材として、中栓と刷毛を具えた塗布部材と、刷毛カバーとからなる液塗布容器の部品組立体において、塗布部材が、刷毛カバーの取付部を設けた基台と刷毛を立設した塗布具とからなり、刷毛カバーは、下端に基台の取付部に係合する取付筒を垂設した側周壁と、頂壁を具えていることを特徴とする構成を採用する。
【０００８】
刷毛カバーの着脱を容易にするとともに、不正行為の有無を識別するために、刷毛カバーの側周壁の上端周縁に、取付片と切断可能な連結片によりプルリングを連接したことを特徴とする構成、または、側周壁の上端にヒンジを介して蓋板を取り付け、該蓋板と側周壁の上端とを切断可能な連結片で接続したことを特徴とする構成を採用する。
【０００９】
【発明の実施の形態】
次に、本発明の実施形態について、図面を参照して説明する。
図１において、Ａは本発明に係る塗布部材等の部品組立体であり、中栓Ｂと塗布部材Ｃをセットし、塗布部材Ｃに刷毛カバーＤを被嵌したものである。
【００１０】
中栓Ｂは、容器の口筒部に嵌着される嵌着筒１と、該嵌着筒１の下端近くから延びる連結部２を介して連設された内筒３とを具えている。
嵌着筒１の外周には、フランジが設けられ、その上方には案内筒４が立設されており、嵌着筒１の内周面には膨出部５が設けられている。
【００１１】
内筒３の上端には、内方に突出する上壁６が形成され、上壁６の上面には内周縁に沿って案内筒７が立設され、案内筒７の外側の上壁６は、ばね受け面となっている。
上壁６の下面には、内筒３から複数の連結片を介して栓体８が連設され、上壁６の内周縁と栓体８との間に開孔９が形成されている。
【００１２】
図２に示すように、塗布部材Ｃは、基台１０と、基台１０に嵌着された塗布具１１およびボール弁１２と作動杆１３によって構成される注出弁孔開閉機構とからなっている。
基台１０は、球面状に広がる上壁１４と、上壁１４の内周縁より垂設された取付筒１５と、その外側に垂設された案内筒１６と、上壁１４の外周に沿って立設された刷毛カバーＤの取付部１７とを具えている。
【００１３】
取付筒１５の下端は縮径され、中栓Ｂの開孔９を開閉するシール筒１８となっている。
シール筒１８の下端部には、ボール弁１２の支持杆１９が架設されている。
【００１４】
取付筒１５と案内筒１６との間の上壁１４下面には、ばね受けリブが設けられ、該ばね受けリブと中栓Ｂのばね受け面との間に圧縮ばねｓが弾装されるようになっている。
案内筒１６は、中栓Ｂの嵌着筒１と内筒３との間に嵌挿されるようになっており、外周の中間位置には、中栓Ｂの嵌着筒１に設けた膨出部５に係合する膨出環２０が設けられている。
【００１５】
取付部１７は、内筒２１と外筒２２、両者を結ぶ頂壁２３とからなり、内筒２１内周上端部には、刷毛カバーＤを取付けるための膨出環２４または凹溝が設けられている。
内筒２１と外筒２２の間には、案内筒４が嵌挿され、上下に案内されるようになっている。
【００１６】
塗布具１１は、嵌合筒３０と、多数の刷毛３１を立設した球面状の支持壁３２と、支持壁３２の内周縁に沿って立設された注出筒３３とからなっている。
嵌合筒３０は、取付筒１５に係合されており、その内周はシール筒１８と面一となっている。
嵌合筒３０の内周上部は円錐面となっており、円錐面と注出筒３３の内周面とによって、注出筒３３基端の注出弁孔３４が形成されている。
【００１７】
注出筒３３の上端には、中央に作動杆１３の軸受け部３５が形成され、軸受け部３５と注出筒３３上端部との間には、複数の注出孔３６が放射状に穿孔されている。
支持壁３２に立設された刷毛３１は、中央に向かって傾斜し、刷毛先面３１ａが水平または中央が凹んだ湾曲凹面となっており、刷毛３１先端の密度は高くなっている。
【００１８】
作動杆１３は、注出筒３３内に上下摺動自在に嵌挿されており、作動杆１３とシール筒１８の支持杆１９との間には、ボール弁１２が挿入されており、作動杆１３が最上位置にあるとき、ボール弁１２が注出弁孔３４を閉じるようになっている。
【００１９】
図３に示すように、刷毛カバーＤは、頂板４０と円錐状の側周壁４１とからなっており、側周壁４１には空気孔４２が穿孔されている。
また、空気孔４２は頂壁４０に設けてもよく、さらには頂板４０と側周壁４１の両方に設けてもよい。
側周壁４１の下端から取付筒４３が垂設されており、取付筒４３の中間部には、塗布部材Ｃの取付部１７の膨出環２４に係合する膨出環４４が設けられている
。
【００２０】
次に、本発明中栓とセットされた塗布部材等の部品組立体Ａの組立について説明する。
塗布部材Ｃの組立にあたっては、まず、基台１０のシール筒１８内にボール弁１２を挿入し、塗布具１１の注出筒３３内に作動杆１３を挿入して、塗布具１１の嵌合筒３０を基台１０の取付筒１５に嵌挿すると、それぞれに設けられた膨出環が係合して、塗布具１１が基台１０に強固に嵌着される。
【００２１】
次いで、組立てられた塗布部材Ｃと中栓Ｂとの間に圧縮ばねｓを弾装して、両者を結合し、刷毛カバーＤを、中栓Ｂとセットされた塗布部材Ｃに被嵌する。
その際、刷毛カバーＤの側周壁４１下端の取付筒４３を、塗布部材Ｃの取付部１７の内筒２１内に押し込むと、膨出環４４が取付部１７の膨出環２４または凹溝に係合し、刷毛カバーＤは、塗布部材Ｃに嵌合されることになる。
【００２２】
次に、液塗布容器の組立工程について説明する。
液塗布容器は、部品組立体Ａを、内容液を充填した容器ａの口筒部に嵌挿し、キャップｂを締着することによって、図４に示す液塗布容器を形成する。
【００２３】
組立にあたっては、部品組立体Ａと容器ａ、キャップｂは、それぞれ搬送ラインに乗せられ、内容液の充填ステーションに搬送され、まず容器ａに内容液が充填され、その後に、部品組立体Ａの中栓Ｂの嵌着筒１を容器口筒部に嵌着させ、キャップｂで締着される。
【００２４】
部品組立体Ａの搬送においては、図５に示すように、塗布部材Ｃの刷毛３１は、刷毛カバーＤで被われているので、各部品組立体Ａは、その刷毛３１が他の部品組立体Ａと干渉することなく搬送され、刷毛３１が、他の部品組立体Ａにより折り曲げられたり、刷毛３１同士が絡まり、部品組立体Ａ同士が連結されるというようなトラブルはなくなる。
【００２５】
液塗布容器の使用にあたっては、まずキャップｂを外し、刷毛カバーＤを取り外して塗布部材Ｃの刷毛３１を露出させる。
次いで容器を倒立させ、刷毛３１を被塗布面に押し当て内容液を塗布する。
刷毛カバーＤの取り外しは、頂壁４０の周辺をつかんで引き上げると、側周壁４１下端の取付筒４３の膨出環４４と塗布部材Ｃの取付部１７の内筒２１の膨出環２４または凹溝との係合が解かれ簡単に取り外すことができる。
【００２６】
【実施例】
次に、刷毛カバーに関する別実施例について説明する。
〔第１実施例〕
図７において、Ｄａは刷毛カバーであって、側周壁５０と側周壁５０の上端に連接されたプルリング５１とを具えている。
側周壁５０には、複数個の窓５２が穿設されており、側周壁５０の下端から中間部に膨出環５３を設けた取付筒５４が垂設されている。
プルリング５１は、側周壁５０の上端縁より突設された取付片５５に連接されており、プルリング５１の内周縁と側周壁５０の上端縁の間は、側周壁５０側を容易に切断可能とした複数の連結片５６によって連結されている。
【００２７】
刷毛カバーＤａは、実施形態の刷毛カバーＤと同様に、搬送中のトラブルをなくすことができる。
【００２８】
液塗布容器の使用時には、実施形態のそれと同様に、まずキャップｂを外し、刷毛カバーＤａを取り外して塗布部材Ｃの刷毛３１を露出させる。
次いで容器を倒立させ、刷毛３１を被塗布面に押し当て内容液を塗布する。
刷毛カバーＤａの取り外しにあたっては、まず、プルリング５１の取付片５５の反対側を引っ張り上げると連結片５６が切断され、プルリング５１は、取付片５５を軸として廻動自在となる。
次いで、プルリング５１内に手指を入れ、上方に引き上げると、刷毛カバーＤａは簡単に引き上げられ、取り外すことができる。
【００２９】
そして、液塗布容器として過剰包装を避け、塗布部材を取着した容器にキャップを被嵌したままで店頭に陳列しておくと、顧客が塗布部材を観るためにキャップを開くこともある。
その際、故意または過失によりプルリング５１を引き上げると、連結片５６が切断される場合もある。
【００３０】
そのときには、連結片５６が切断されることによって、プルリング５１の面が側周壁５０の上端縁から下がり、面一とならないから、プルリング５１の引き上げがあったことを容易に識別することができ、不正行為の有無を知ることができる。
その容器を取り除いて、顧客に不正行為のない液塗布容器のみを商品として提供することができる。
【００３１】
〔第２実施例〕
図８において、Ｄｂは刷毛カバーであり、側周壁６０と該側周壁６０の上端にヒンジ６１を介して連接された蓋板６２とを具えている。
側周壁６０の上端縁と蓋板６２の下面の間は、切断可能な複数の連結片６３によって接続されており、側周壁６０の下端には、前実施例と同様に膨出環を設けた取付筒６４が垂設されている。
【００３２】
ヒンジ６１は、一定範囲にわたる薄肉の連結部６５によって形成されており、ヒンジ６１の反対側は、庇状に突出した摘み部６６となっている。
【００３３】
刷毛カバーＤｂは、実施形態の刷毛カバーＤと同様に、搬送中のトラブルをなくすことができる。
【００３４】
液塗布容器の使用時には、第１実施例と同様に、キャップｂを外し、刷毛カバーＤｂを取り外して塗布部材Ｃの刷毛３１を露出させ、内容液を塗布する。
刷毛カバーＤｂの取り外しにあたっては、まず、蓋板６２の摘み部６６をもって引っ張り上げると連結片６３が切断され、蓋板６２は、ヒンジ６１を軸として廻動自在となる。
次いで、蓋板６２をもって、上方に引き上げると刷毛カバーＤｂは簡単に引き上げられ、取り外すことができる。
【００３５】
そして、前実施例と同様に、液塗布容器として過剰包装を避け店頭に陳列中に、顧客がキャップを開き、故意または過失によって蓋板６２を引き上げた場合、連結片６３が切断され、蓋板６２が側周壁６０の上端縁から浮き上がっていたり、蓋板６２に触れたときに簡単に浮動するので、蓋板６２が開蓋されていることが容易に識別することができ、不正行為の有無を知ることができる。
その容器を取り除いて、顧客に不正行為のない液塗布容器のみを商品として提供することができる。
【００３６】
【発明の効果】
本発明は、上記のように構成されているから、次の効果を奏する。
塗布部材の刷毛が刷毛カバーで被われているので、搬送中に部品組立体が干渉し、刷毛が他の部品組立体により折り曲げられたり、刷毛同士が絡まったりするようなトラブルをなくすことができた。
【００３７】
刷毛カバーは、塗布部材に着脱自在としたから、使用時の取扱いは容易である。
また、刷毛カバーの頂壁に代え、側周壁上端に連結片で連接したプルリング、あるいは蓋板を用いたときには、外部から、プルリング、蓋板の状況を観ることによって、故意または過失による不正行為を識別することができる。
【図面の簡単な説明】
【図１】本発明の部品組立体の断面図である。
【図２】塗布部材の説明図で、（ａ）は上面図、（ｂ）は断面図である。
【図３】刷毛カバーの一部断面立面図である。
【図４】液塗布容器の一部断面立面図である。
【図５】搬送中の部品組立体の説明図である。
【図６】従来の塗布部材の搬送中の説明図である。
【図７】刷毛カバーの第１実施例の説明図で、（ａ）は斜視図、（ｂ）はプルリング引き上げ時の斜視図である。
【図８】刷毛カバーの第２実施例の説明図で、（ａ）は上面図、（ｂ）は一部断面立面図、（ｃ）は開蓋時の説明図である。
【符号の説明】
Ａ　　　　　部品組立体
Ｂ、Ｂａ　　中栓
Ｃ、Ｃａ　　塗布部材
Ｄ、Ｄａ、Ｄｂ　刷毛カバー
ａ　　　　　容器
ｂ　　　　　キャップ
ｓ　　　　　圧縮ばね
１　　　　　嵌着筒
３　　　　　内筒
７　　　　　案内筒
８　　　　　栓体
９　　　　　開孔
１０　　　　基台
１１　　　　塗布具
１２　　　　ボール弁
１３　　　　作動杆
１４　　　　上壁
１５　　　　取付筒
１６　　　　案内筒
１７　　　　取付部
１８　　　　シール筒
２１　　　　内筒
２２　　　　外筒
２３　　　　頂壁
２４　　　　膨出環
３１、ｃ　　刷毛
３２　　　　支持壁
３３　　　　注出筒
３４　　　　注出弁孔
３６　　　　注出孔
４０　　　　頂壁
４１、５０、６０　側周壁
４２　　　　　　　空気孔
４３、５４、６４　取付筒
４４、５３　　　　膨出環
５１　　　　　　　プルリング
５５　　　　　　　取付片
５６、６３　　　　連結片
６１　　　　　　　ヒンジ
６２　　　　　　　蓋板
【図１】
2004026243.tif 000003
【図２】
2004026243.tif 000004
【図３】
2004026243.tif 000005
【図４】
2004026243.tif 000006
【図５】
2004026243.tif 000007
【図６】
2004026243.tif 000008
【図７】
2004026243.tif 000009
【図８】
2004026243.tif 000010